(57)【要約】【課題】障害発生後にリアルタイムなログ情報を容易に収集できる通信システムを提供する。【解決手段】他の通信装置との間で発生する通信障害を解析するためにログ情報を収集する通信システムにおいて、自装置の周囲に発信された無線フレームを取得し、無線フレームに格納されたＳＳＩＤを取得する無線通信部と、特定のＳＳＩＤを記憶し、かつ他の通信装置との間で行われる無線通信のログ情報を一時保持する記憶部と、特定のＳＳＩＤと無線通信部が取得したＳＳＩＤとが一致するか否かを判断する判断部と、ログ情報を無線フレーム内の所定の領域に格納したビーコンフレームを生成するフレーム生成部と、判断部においてＳＳＩＤが一致していると判断した場合のみ、フレーム生成部で生成されたビーコンフレームを無線通信部を介してブロードキャスト送信する通信制御部とを備える。【選択図】図４
2019180012.tif 000002
【特許請求の範囲】
【請求項１】
通信装置であって、他の通信装置との間で発生する通信障害を解析するためにログ情報を収集する通信システムにおいて、
自装置の周囲に発信された無線フレームを取得し、前記無線フレームに格納されたＳＳＩＤを取得する無線通信部と、
特定のＳＳＩＤを記憶し、かつ前記他の通信装置との間で行われる無線通信のログ情報を一時保持する記憶部と、
前記特定のＳＳＩＤと前記無線通信部が取得したＳＳＩＤとが一致するか否かを判断する判断部と、
前記ログ情報を無線フレーム内の所定の領域に格納したビーコンフレームを生成するフレーム生成部と、
前記判断部においてＳＳＩＤが一致していると判断した場合のみ、前記フレーム生成部で生成されたビーコンフレームを前記無線通信部を介してブロードキャスト送信する通信制御部と、
を備える通信装置。
【請求項２】
さらに、通信制御部は前記生成されたビーコンフレームを送信するときには前記無線通信部の送信出力を無線通信に使用している送信出力値よりも小さい値であるログ情報送信出力値に設定する請求項１の通信装置。
【請求項３】
他の通信装置との間で発生する通信障害を解析するためにログ情報を無線端末により収集する通信システムの通信制御方法であって、
自装置の周囲に発信された無線フレームを取得し、前記無線フレームに格納されたＳＳＩＤを取得する無線通信ステップと、
特定のＳＳＩＤを記憶し、かつ前記他の通信装置との間で行われる無線通信のログ情報を一時保持する記憶ステップと、
前記特定のＳＳＩＤと前記取得したＳＳＩＤとが一致するか否かを判断する判断ステップと、
前記ログ情報を無線フレーム内の所定の領域に格納したビーコンフレームを生成する生成ステップと、
前記判断ステップの結果ＳＳＩＤが一致していると判断した場合のみ、前記生成されたビーコンフレームを前記無線端末に向けてブロードキャスト送信する通信制御ステップと
を含む通信制御方法。
【請求項４】
通信障害を解析するためにログ情報を収集する通信システムであって、
所定のＳＳＩＤを格納する無線フレームを送信する送信機と、
通信装置であって、
自装置の周囲に発信された無線フレームを取得し、前記無線フレームに格納されたＳＳＩＤを取得する無線通信部と、
特定のＳＳＩＤを記憶し、かつ他の通信装置との間で行われる無線通信にかかるログ情報を一時保持する記憶部と、
前記特定のＳＳＩＤと前記無線通信部が取得したＳＳＩＤとが一致するか否かを判断する判断部と、
前記ログ情報をフレーム内の所定の領域に格納したビーコンフレームを生成するフレーム生成部と、
前記判断部においてＳＳＩＤが一致していると判断した場合のみ、前記フレーム生成部で生成されたビーコンフレームを前記無線通信部を介してブロードキャスト送信する通信制御部と、
を備える通信装置と、
前記ログ情報が格納されたビーコンフレームを受信するログ収集端末と
を備える通信システム。
【請求項５】
前記送信機は、２種類のＳＳＩＤを送信可能であり、
前記通信装置において、
前記記憶部は、予め、デバッグ開始用ＳＳＩＤとデバッグ終了用ＳＳＩＤとを記憶しており、
前記通信制御部は、前記無線通信部が取得したＳＳＩＤが前記デバッグ開始用ＳＳＩＤに一致すると前記判断部が判断した場合、前記フレーム生成部で生成されたビーコンフレームを前記無線通信部を介してブロードキャスト送信し、前記無線通信部が取得したＳＳＩＤが前記デバッグ終了用ＳＳＩＤに一致すると前記判断部が判断した場合、前記ブロードキャスト送信を停止する、
請求項４記載の通信システム。
【発明の詳細な説明】
【技術分野】
【０００１】
本発明は、無線通信における通信ログデータ収集に関する。
【背景技術】
【０００２】
近年、無線ＬＡＮの普及に伴い、無線通信装置が室内、構内などに多数設置されるようになっている。無線通信は、有線通信などに比べ、装置同士の接続を容易に確認できない。有線通信の装置の間には有線ケーブルで物理的な装置同士の接続は確認できるが、目に見えない無線通信においては、装置同士が接続し無線通信を行われているか否かを確認するのは困難である。特に無線通信に障害が発生した場合はなおさらである。
【０００３】
一般的には、無線通信装置における様々な障害（例えば、通信エラー、装置の一部故障、ソフトウェアのバグなど）の発生時に、その原因を特定するため、ログ情報を収集し解析する方法が利用される。
【０００４】
ログ情報は、無線通信装置の製造会社、当該装置を用いて通信システムを構築する通信業者など、障害を解析することができる者によって利用され、通常、エンドユーザが扱うことはない。そのため、ログ情報を収集するための回路は、無線通信装置内の回路上に付加的に設けられていることも多く、ログ情報を解析する者は、ログ情報を収集するために装置の筐体を開けて、内部の基板に直接、ケーブル（例えばシリアルケーブルなど）を接続して、ログ情報を収集する必要がある。
【０００５】
また、ログ情報を収集することは、障害を解析するために有益ではあるが、特に組み込み用途のモジュール回路（小型無線モジュール回路など）では、リソース（記憶媒体、メモリ）容量には限りがあり、一定期間のログ情報を保存しておくことは難しい。
【０００６】
また、例えば、ユーザが所有する製品からログ情報を収集する必要がある場合には、筐体を開けて配線を行う作業は容易に行えるとは言い難い。
【０００７】
ところで、無線通信装置が、障害の発生した（異常検出した）ことを契機にログ情報を自装置以外に通知できる技術も開示されている。特許文献１には、画像形成装置における異常検出時のログ情報を保存し、近距離無線通信（例えばＮＦＣ（Ｎｅａｒ  Ｆｉｅｌｄ  Ｃｏｍｍｕｎｉｃａｔｉｏｎ）通信）により外部に簡便に通知する技術が記載されている。また、特許文献１に開示の技術を利用すれば、装置の筐体を開けて、ログ情報の収集を行わなくてもよい。
【先行技術文献】
【特許文献】
【０００８】
【特許文献１】特開２０１４−１４９６７６号公報
【発明の概要】
【発明が解決しようとする課題】
【０００９】
しかしながら、特許文献１が開示する技術では、異常検出時に近距離無線通信を用いて外部へ通知（携帯端末で受信）することができるが、例えばＩＥＥＥ８０２．１１規格に準拠する無線回路を備える無線通信装置に適用する場合は、当該通信規格と近距離無線通信の規格に準ずる無線回路の両方を備える必要があり、コストが増加する。さらに、ＮＦＣ通信を利用する場合は、無線通信装置のＮＦＣ回路ユニットに携帯端末のＮＦＣ回路ユニットを近づける必要があり、無線通信装置が高所やユーザが容易に近づけない場所に設置されていた場合には利便性を損なう。
【００１０】
本発明は、上記問題を少なくとも一部を解決するためになされたものであり、障害発生後にリアルタイムなログ情報を容易に収集できる通信システムを提供することを目的とする。
【課題を解決するための手段】
【００１１】
本発明の一態様に係る通信装置は、他の通信装置との間で発生する通信障害を解析するためにログ情報を収集する通信システムにおいて、自装置の周囲に発信された無線フレームを取得し、無線フレームに格納されたＳＳＩＤを取得する無線通信部と、特定のＳＳＩＤを記憶し、かつ他の通信装置との間で行われる無線通信のログ情報を一時保持する記憶部と、特定のＳＳＩＤと無線通信部が取得したＳＳＩＤとが一致するか否かを判断する判断部と、ログ情報を無線フレーム内の所定の領域に格納したビーコンフレームを生成するフレーム生成部と、判断部においてＳＳＩＤが一致していると判断した場合のみ、フレーム生成部で生成されたビーコンフレームを無線通信部を介してブロードキャスト送信する通信制御部とを備える。
【００１２】
ここに言う他の通信装置との間で行われる無線通信のログ情報には、実際に通信が行える状況での通信記録情報だけでなく、通信を試みる際の動作処理およびその結果に関する情報も含む意味である。上記した構成によれば、通信装置は、自装置の周囲に発信された無線フレームを取得し、その無線フレームに含まれるＳＳＩＤと記憶部に記憶する特定のＳＳＩＤとが一致した場合には、自装置と通信対象の装置（例えば基地局など）との間で行う無線通信のやり取りや自装置の動作処理などをロギングしたログ情報をビーコンフレームに格納し、自装置の周囲にブロードキャスト送信できる。これにより、ビーコンフレームを取得できる通信端末（例えば、ログ収集端末など）で容易にログ情報を取得できる。
【００１３】
また、通信制御部は生成されたビーコンフレームを送信するときには無線通信部の送信出力を無線通信に使用している送信出力値よりも小さい値であるログ情報送信出力値に設定する。
【００１４】
このように構成すれば、ログ情報を格納したビーコンフレームは、自装置の近傍にのみ送信されることになり、意図しない通信端末で傍受されることを軽減できるため、セキュリティ性が向上する。
【００１５】
本発明の一態様に係る通信システムの通信制御方法は、他の通信装置との間で発生する通信障害を解析するためにログ情報を無線端末により収集する通信システムの通信制御方法であって、自装置の周囲に発信された無線フレームを取得し、無線フレームに格納されたＳＳＩＤを取得する無線通信ステップと、特定のＳＳＩＤを記憶し、かつ他の通信装置との間で行われる無線通信のログ情報を一時保持する記憶ステップと、特定のＳＳＩＤと取得したＳＳＩＤとが一致するか否かを判断する判断ステップと、ログ情報を無線フレーム内の所定の領域に格納したビーコンフレームを生成する生成ステップと、判断ステップの結果ＳＳＩＤが一致していると判断した場合のみ、生成されたビーコンフレームを無線端末に向けてブロードキャスト送信する通信制御ステップとを含む。
【００１６】
このように構成すれば、上記通信装置と同様の効果を奏する。
【００１７】
本発明の一態様に係る通信システムは、通信障害を解析するためにログ情報を収集する通信システムであって、所定のＳＳＩＤを格納する無線フレームを送信する送信機と、通信装置であって、自装置の周囲に発信された無線フレームを取得し、無線フレームに格納されたＳＳＩＤを取得する無線通信部と、特定のＳＳＩＤを記憶し、かつ他の通信装置との間で行われる無線通信にかかるログ情報を一時保持する記憶部と、特定のＳＳＩＤと無線通信部が取得したＳＳＩＤとが一致するか否かを判断する判断部と、ログ情報をフレーム内の所定の領域に格納したビーコンフレームを生成するフレーム生成部と、判断部においてＳＳＩＤが一致していると判断した場合のみ、フレーム生成部で生成されたビーコンフレームを無線通信部を介してブロードキャスト送信する通信制御部とを備える通信装置と、ログ情報が格納されたビーコンフレームを受信するログ収集端末とを備える。
【００１８】
このように構成すれば、上記通信装置と同様の効果を奏する。
【００１９】
さらに、本発明の一態様に係る通信システムは、送信機は２種類のＳＳＩＤを送信可能であり、通信装置において、記憶部は、予め、デバッグ開始用ＳＳＩＤとデバッグ終了用ＳＳＩＤとを記憶しており、通信制御部は、無線通信部が取得したＳＳＩＤがデバッグ開始用ＳＳＩＤに一致すると判断部が判断した場合、フレーム生成部で生成されたビーコンフレームを無線通信部を介してブロードキャスト送信し、無線通信部が取得したＳＳＩＤがデバッグ終了用ＳＳＩＤに一致すると判断部が判断した場合、ブロードキャスト送信を停止する。
【００２０】
このように構成すれば、通信システムは、通信装置が送信機から送信されるＳＳＩＤが記憶部に記憶されたデバッグ開始用ＳＳＩＤと一致すると、ログ情報をビーコンフレームに格納し通信装置の周囲に向けてブロードキャスト送信する。また、通信装置が送信機から送信されるＳＳＩＤが記憶部に記憶されたデバッグ終了用ＳＳＩＤと一致すると、ビーコンフレームを通信装置の周囲に向けてブロードキャスト送信することを停止する。
【発明の効果】
【００２１】
本発明は、障害発生後に簡易な手段で無線通信におけるログ情報を収集できる。
【図面の簡単な説明】
【００２２】
【図１】図１は、本発明の実施の形態に係る通信システムのネットワーク構成を示す模式図である。
【図２】図２は、本発明の実施の形態に係る通信装置のハードウェア構成を示すブロック図である。
【図３】図３は、本発明の実施の形態に係る通信装置の機能構成を示すブロック図である。
【図４】図４は、本発明の実施の形態に係る通信装置において障害発生からログ情報を含む無線フレームを送信する一連の処理を示すフロー図である。
【図５】図５は、本発明の実施の形態に係る通信装置によるログ情報を含む無線フレームを送信する場合に行われる通信制御処理を示すフロー図である。
【図６】図６は、本発明の実施の形態に係る通信装置によるログ情報を含む無線フレームの構成を示す説明図である。
【図７】図７は、関連技術における通信システムのネットワーク構成を示す模式図である。
【発明を実施するための形態】
【００２３】
以下、実施の形態について、図面を参照しながら具体的に説明する。
【００２４】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。なお、同一の構成要素には同一の符号を付し、説明を省略する場合がある。
【００２５】
（実施の形態）
本実施の形態において、障害発生後にリアルタイムなログ情報を容易に収集でき、特別なアプリケーションを搭載せずにログ収集ができる通信システムについて説明する。
【００２６】
図１は、実施の形態に係る通信システムのネットワーク構成を示す模式図である。
【００２７】
図１に示されるように、通信システム１００は、通信装置１と、第一基地局２と、ログ収集端末３と、第二基地局４と、ＬＡＮ１１（Ｌｏｃａｌ  Ａｒｅａ  Ｎｅｔｗｏｒｋ）とを備える。
【００２８】
通信装置１は、第一基地局２との間で無線通信リンク１０を確立し得る通信装置である。無線通信リンク１０には、所定のＳＳＩＤ（Ｓｅｒｖｉｃｅ  Ｓｅｔ  Ｉｄｅｎｔｉｆｉｅｒ）、及び、所定の暗号化方式で無線通信が行われる。なお、無線通信は、例えば、ＩＥＥＥ８０２．１１ａ、ｂ、ｇ、ｎ規格などに適合する無線ＬＡＮにより実現される。通信装置１は、例えば、無線回路モジュールを組み込みこんだ通信装置などである。後述するとおり、通信装置１は、特定のＳＳＩＤを検出したことをトリガとして、自らのログ情報を、ビーコンフレームに載せブロードキャスト送信する機能を有する。
【００２９】
第一基地局２は、通信装置１との間で無線通信リンク１０を確立し得る基地局である。また、第一基地局２は、ＬＡＮ１１を通じて、他のネットワーク（例えば、インターネットなどの外部ネットワークなど）と接続し、通信装置１と他のネットワークとの間の通信を中継することができる。第一基地局２は、例えば、無線回路モジュールを備える無線アクセスポイントである。
【００３０】
ログ収集端末３は、通信装置１との間で無線通信を確立し得る端末である。
【００３１】
ログ収集端末３は、通信装置１と第一基地局２との間で行われる無線通信のやりとり、通信装置１の動作記録などを随時、ログ情報として収集するために使用する通信端末である。より具体的には、ログ収集端末３のユーザは、通信装置１がブロードキャスト送信するビーコンフレームに載せたログ情報をキャプチャにより取得し、これを解析して不具合の原因究明に役立てる。
【００３２】
ログ収集端末３は、例えば、無線回路モジュールを備えるＰＣ（Personal Computer）、携帯通信端末、タブレット端末などの汎用的な装置でよいが、無線フレームのキャプチャ機能が必須である。
【００３３】
第二基地局４は、周囲の装置に向けて無線フレームを送信する基地局である。また、第二基地局４は、自装置に予め定められた特定のＳＳＩＤを少なくとも１つ以上備えている。第二基地局４は、周囲の装置に対し、この特定のＳＳＩＤをビーコンフレームに格納して送信する。また、第二基地局４は、特定のＳＳＩＤを２つ（以後、デバッグ開始用ＳＳＩＤと、デバッグ終了用ＳＳＩＤと呼ぶ）備え、それぞれ所定の条件下でビーコンフレームに格納して送信してもよい。ここで、本実施の形態では、自装置に予め定められた特定のＳＳＩＤを少なくとも１つ以上備えており、周囲の装置に向けて無線フレームを送信できる基地局（第二基地局４）で説明するが、必ずしも基地局である必要はなく、無線フレームを送信できる装置（例えば、ビーコンフレームを送信可能な送信機）であればよい。
【００３４】
デバッグ開始用ＳＳＩＤとデバッグ終了用ＳＳＩＤは、異なるＳＳＩＤであり、デバッグ開始用ＳＳＩＤをビーコンフレームに格納して送信後、一定時間を経てデバッグ終了用ＳＳＩＤをビーコンフレームに格納して送信するようにしてもよい。当該一定時間は、第二基地局４に備わる設定ツールを介してユーザにより自由に設定できてもよい。
【００３５】
後述するとおり、デバッグ開始用ＳＳＩＤは、通信端末１との無線通信において、通信端末１がビーコンフレームに格納された当該ＳＳＩＤを取得することにより、通常モードからデバッグモードにモードを切り替える契機となる情報である。一方、デバッグ終了用ＳＳＩＤは、通信端末１との無線通信において、通信端末１がビーコンフレームに格納された当該ＳＳＩＤを取得することにより、デバッグモードから通常モードにモードを切り替える契機となる情報である。
【００３６】
以後の本実施の形態の説明では、第二基地局４は、特定のＳＳＩＤを２つ備えている前提で説明する。第二基地局４は、例えば、無線回路モジュールを備える無線アクセスポイントである。なお、第二基地局４とログ収集端末３のそれぞれの機能は１つの筐体（装置）に備わっていてもよい。
【００３７】
ＬＡＮ１１は、有線のローカルエリアネットワークであり、第一基地局２に接続されている。ＬＡＮ１１は、第一基地局２と図示しない他のネットワーク（例えば、インターネットなどの外部ネットワークなど）と接続している。ＬＡＮ１１は、例えば、ＩＥＥＥ８０２．３規格に準拠した有線ＬＡＮであり、この場合を例として説明するが、これに替えて無線ＬＡＮ（又は、有線ＬＡＮと無線ＬＡＮとの組み合わせ）を用いることも可能である。
【００３８】
図１に示す通信システムの運用をより具体的に説明する。通常時、通信装置１は、第一基地局２を経由して他の無線通信装置（図示しない）や、第一基地局２に接続されたＬＡＮ１１上の他の通信装置などと通信する。通信装置１と第一基地局２との間で通信障害が発生した場合、その障害の原因を解析すべく、ログ収集端末３および第二基地局４が持ち込まれ、通信装置１が第二基地局４からのデバッグ開始用ＳＳＩＤを検知することを契機として通信装置１のモードがデバッグモードに遷移し、ログ情報をビーコンフレームに搭載する。そのビーコンフレームが通信装置１からブロードキャスト送信され、ログ収集端末３がログ情報を収集する。
【００３９】
図２は、実施の形態に係る通信装置１のハードウェア構成を示すブロック図である。
【００４０】
図２に示されるように、通信装置１は、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、ＷＮＩＣ（Ｗｉｒｅｌｅｓｓ  Ｎｅｔｗｏｒｋ  Ｉｎｔｅｒｆａｃｅ  Ｃｏｎｔｒｏｌｌｅｒ）２３、および各構成部品間を接続している内部バス２４などを備えている。
【００４１】
ＣＰＵ２０は、ＲＯＭ２１に格納された制御プログラムを実行するプロセッサである。
【００４２】
ＲＯＭ２１は、制御プログラム、制御情報、装置情報、認証情報の一部などを保持する読み出し専用記憶領域である。
【００４３】
ＲＡＭ２２は、ＣＰＵ２０が制御プログラムを実行するときに使用するワークエリアとして用いられる記憶領域である。
【００４４】
ＷＮＩＣ２３は、無線通信を行う無線通信インタフェースである。例えば、ＩＥＥＥ８０２．１１ａ、ｂ、ｇ、ｎ、ａｃ規格等に適合する無線ＬＡＮの通信インタフェースである。なお、通信装置１は、ＷＮＩＣ２３を２つ以上備えていてもよい。
【００４５】
内部バス２４は、ＣＰＵ２０，ＲＯＭ２１、ＲＡＭ２２、ＷＮＩＣ２３を電気的に接続し、信号のやりとりを行うバス回路である。
【００４６】
図３は、本発明の実施の形態に係る通信装置１の機能構成を示すブロック図である。
【００４７】
図３に示されるように通信装置１は、無線通信部３１と、判断部３２と、通信制御部３３と、記憶部３４、フレーム生成部３５、通信モードフラグ３６とを備える。
【００４８】
無線通信部３１は、自装置（通信装置１）が備える無線インタフェースを介して、第一基地局２およびログ収集端末３とそれぞれ、無線通信に関する種々の処理を行う。なお、無線通信部３１が、２以上の無線インタフェースを備えている場合には、第一基地局２およびログ収集端末３と同時並行的に通信を行ってもよい。また、自装置が１つの無線インタフェースのみ備えている場合には、逐次的に第一基地局２およびログ収集端末３のどちらか一方と所定の条件（例えば、時分割で行う通信など）に従って無線通信を行ってもよい。
【００４９】
無線通信部３１は、通信制御部３３の指示により、自装置の周囲に発信されているビーコンを取得し、収集したビーコンに含まれる通信情報から抽出されたＳＳＩＤを判断部３２に通知する。
【００５０】
無線通信部３１は自装置と第一基地局２との間で行われる無線通信のやりとりに関する情報を記憶部３４にログ情報として一時的に保持する。ここで、ログ情報は、データの送受信で取得できる通信情報（送受信時刻、データサイズ、アドレスなど）であってもよいし、受信した実データ（データそのもの）を含んでいてもよい。また、ログ情報は、自装置の動作および処理内容（例えば、コマンド処理など）を時系列で記録したものであってもよい。
【００５１】
無線通信部３１は、デバッグモードの際、ログ情報を載せたビーコンフレームを、所定の送信出力でブロードキャスト送信する。
【００５２】
無線通信部３１は、ＣＰＵ２０、ＲＯＭ２１、ＲＡＭ２２、ＷＮＩＣ２３などにより実現される。
【００５３】
判断部３２は、無線通信部３１を通じて行う第一基地局２との無線通信を正常に行えているか否かを判断する。
【００５４】
判断部３２は、記憶部３４などに予め記憶しているデバッグ開始用ＳＳＩＤと無線通信部３１から通知を受けたＳＳＩＤとが一致するか否かを判断する。判断部３２は、一致する場合のみ、通信制御部３３にその旨を通知する。
【００５５】
判断部３２は、無線通信部３１を通じて、第二基地局４からログ収集を終了する旨の通知を受信したか否かを判断する。具体的には、判断部３２は、記憶部３４などに予め記憶しているデバッグ終了用ＳＳＩＤと無線通信部３１から通知を受けたＳＳＩＤとが一致するか否かを判断する。判断部３２は、一致する場合のみ、通信制御部３３にその旨を通知する。
【００５６】
判断部３２は、ＣＰＵ２０、ＲＯＭ２１、ＲＡＭ２２などにより実現される。
【００５７】
通信制御部３３は、判断部３２の通知をもとに、自装置の周辺に存在する基地局に対する検索（スキャン）を行う旨を無線通信部３１に指示する。
【００５８】
通信制御部３３は、判断部３２の通知をもとに通信モードフラグ３６を、デバッグモードと通常モードとの間で切り替える（書き換える）。
【００５９】
通信制御部３３は、フレーム生成部３５で生成するログ情報を含んだビーコンフレーム（後述する）を、定期的（例えば１００ｍｓ）に無線通信部３１に通知する。
【００６０】
通信制御部３３は、ビーコンフレームの送信において、ログ情報送信出力値として、所定の送信出力値に設定するように無線通信部３１へ通知する。ここで、所定の送信出力値は、自装置が第一基地局２などと行う、無線通信に使用している通常の送信出力値よりも小さい値である。例えば、ログ情報送信出力値は、自装置から周囲半径２〜３ｍ程度にビーコンフレームが到達でき、その領域に位置するログ収集端末３がビーコンフレームをキャプチャできる程度でよい。
【００６１】
通信制御部３３は、ＣＰＵ２０、ＲＯＭ２１、ＲＡＭ２２などにより実現される。
【００６２】
記憶部３４は、無線通信部３１を通じて、第一基地局２との間で行う無線通信のデータのやりとりを一定時間、保持する。一定時間とは、例えば、定期的に送信されるビーコンフレームの時間（例えば１００ｍｓ）などである。当該保持されたデータは、ログ情報として保持している。
【００６３】
記憶部３４は、通信モードが通常モードとデバッグモードとの間を遷移するか否かの判断時に参照するデバッグ開始用ＳＳＩＤおよびデバッグ終了用ＳＳＩＤを記憶している。デバッグ開始用ＳＳＩＤおよびデバッグ終了用ＳＳＩＤは、工場出荷時に設定されていてもよいし、ユーザによって自装置が備える図示しない設定ツール（例えば、ツールのＷｅｂＵＩ上で設定するなど）で設定されてもよい。
【００６４】
記憶部３４は、ＣＰＵ２０、ＲＯＭ２１、ＲＡＭ２２などにより実現される。
【００６５】
フレーム生成部３５は、記憶部３４に保持していたログ情報を、定期的（例えば、１００ｍｓなど）発信するビーコンフレーム内の所定の領域（例えば、後述する図６のログ情報６４の領域など）に格納する。
フレーム生成部３５は、ＣＰＵ２０、ＲＯＭ２１、ＲＡＭ２２などにより実現される。
【００６６】
通信モードフラグ３６は、通信制御部３３の通知をもとに、通常モードとデバッグモードのいずれで動作しているか記憶するフラグである。モードの書き換えは、通信制御部３３の通知により行われ、モードが切り替わるまでは当該フラグは維持される。
【００６７】
通信モードフラグ３６は、ＣＰＵ２０、ＲＯＭ２１、ＲＡＭ２２などにより実現される。
【００６８】
図４は、本発明の実施の形態に係る通信装置において、障害発生からログ情報を含む無線フレームを送信する一連の処理を示すフロー図である。なお、図４では、基地局が送信するビーコンフレームを用いて説明するが、無線通信におけるアクティブスキャンで用いるプローブリクエスト（例えば、自装置から送信など）に対するプローブレスポンス（例えば、第二基地局４からの応答）の無線フレームからＳＳＩＤを取得してもよい。
【００６９】
ステップＳ４１にて、判断部３２は、無線通信部３１を通じて行う第一基地局２との間で正常に無線通信を行えているか否かを判断する。判断部３２は、第一基地局２と無線通信を正常に行えている場合にはステップＳ４１を繰り返す（ステップＳ４１のＹｅｓ）。正常に行えていない場合には、通信制御部３３にその旨の通知を行い、ステップＳ４２に遷移する（ステップＳ４１のＮｏ）。
【００７０】
ステップＳ４２にて、通信制御部３３は、判断部３２の通知をもとに自装置の周辺に存在する基地局の検索（スキャン）を行う旨を無線通信部３１に指示する。具体的には、無線通信部３１は、これにより、自装置の周囲に発信されている第二基地局４などからのビーコンを取得し、自装置の周囲に存在する基地局の装置情報、ＳＳＩＤ、使用チャネルなど無線通信に必要な情報（単に通信情報とも呼ぶ）を収集し、収集した通信情報から抽出されたＳＳＩＤを判断部３２に通知する。
【００７１】
ステップＳ４３にて、判断部３２は、ステップＳ４２の処理で無線通信部３１から通知を受けたＳＳＩＤのうちに、記憶部３４に予め記憶しているデバッグ開始用ＳＳＩＤ（例えば、例えば、第二基地局４から定期的に送信されるビーコンフレームから取得したＳＳＩＤ）と一致するＳＳＩＤを送信するＡＰを発見したか否かを判断する。判断部３２は、ＳＳＩＤが一致する場合にはステップＳ４４に遷移する（ステップＳ４３のＹｅｓ）。一方、ＳＳＩＤが一致しない場合にはステップＳ４２に遷移する（ステップＳ４３のＮｏ）。
【００７２】
ステップＳ４４にて、通信制御部３３は、判断部３２の通知（ステップＳ４３のＹｅｓ）をもとに通信モードフラグ３６をデバッグモードに切り替える（書き換える）。
【００７３】
ステップＳ４５にて、通信制御部３３は、記憶部３４に保持されるログ情報をフレーム生成部３５で生成するビーコンフレーム（後述する）に格納し、定期的（例えば１００ｍｓ）に無線通信部３１を通じて、周囲の装置に向けて当該ビーコンフレームをブロードキャスト送信する。
【００７４】
ステップＳ４６にて、判断部３２は、記憶部３４に予め記憶しているデバッグ終了用ＳＳＩＤと定期的に無線通信部３１から通知を受けたＳＳＩＤ（例えば、第二基地局４から定期的に送信されるビーコンフレームから取得したＳＳＩＤ）とが一致するか否かを判断する。判断部３２は、デバッグ終了用ＳＳＩＤに一致するＳＳＩＤを送信するＡＰを発見した場合にはステップＳ４７に遷移する（ステップＳ４６のＹｅｓ）。一方、通知を受信していない場合にはステップＳ４５に戻り処理を繰り返す（ステップＳ４６のＮｏ）。
【００７５】
ステップＳ４７にて、通信制御部３３は、判断部３２の通知（ステップＳ４６のＹｅｓ）をもとに通信モードフラグ３６を通常モードに切り替える（書き換える）。
【００７６】
図５は、本発明の実施の形態に係る通信装置１によるログ情報を含む無線フレームを送信する場合に行われる通信制御処理を示すフロー図である。なお、図５で行われる一連の処理は、図４のステップＳ４５の処理を詳細に説明している。ここでは、特定のＳＳＩＤを発信している基地局は第二基地局４とし、自装置と無線通信においてログ情報を取得する対象の基地局は第一基地局２として説明する。
【００７７】
ステップＳ５１にて、図４のステップＳ４４の後、通信制御部３３は、無線通信部３１を通じてログ情報を取得する対象の第一基地局２と無線接続を試みる。そして、自装置（通信装置１）と第一基地局２との間で相互に無線通信を行う。
【００７８】
ステップＳ５２にて、無線通信部３１はこれ以降、自装置が第一基地局２との間で行う無線通信における通信データのやりとり、自装置の動作記録などを記憶部３４にログ情報として一時的に保持する。
【００７９】
ステップＳ５３にて、フレーム生成部３５は、定期的に発信するビーコンフレームにステップＳ５２で保持していたログ情報をフレーム内の所定の領域（例えば、後述する図６のログ情報６４の領域など）に格納する。
【００８０】
ステップＳ５４にて、通信制御部３３は、ステップＳ５３の処理に伴い、当該処理後のビーコンフレームの送信について、所定の送信出力値に設定するように無線通信部３１へ通知する。
【００８１】
ステップＳ５５にて、無線通信部３１は、ステップＳ５４の通知をもとに、ビーコンフレーム送信時に所定の送信出力にて、自装置の周囲に向けてビーコンフレームをブロードキャスト送信する。
【００８２】
図６は、本発明の実施の形態に係る通信装置によるログ情報を含む無線フレーム（ビーコンフレーム）の一部の構成を示す説明図である。なお、図６のビーコンフレームは、以下に説明するＩＤ６１、長さ６２、ＯＵＩ６３、ログ情報６４を含む構成である。
【００８３】
ＥｌｅｍｅｎｔＩＤ６１は、無線フレーム内のＥｌｅｍｅｎｔＩＤ６１以降（具体的には、図６の長さ６２〜ログ情報６４）に格納されるデータがベンダー独自のデータが格納されていることを示す番号である。
【００８４】
長さ６２は、ビーコンフレーム全体の長さである。
【００８５】
ＯＵＩ６３は、ＩＥＥＥが管理しており、メーカーごとに異なる値が割り当てられている。つまり、通常、メーカーが同じなら同じ内容が格納される。当該ＯＵＩ６３の一部の領域では、メーカー独自の仕様を設定し利用できる領域も含まれる。
【００８６】
ログ情報６４は、データの送受信で取得できる通信情報（送受信時刻、データサイズ、アドレスなど）であってもよいし、受信した実データ（データそのもの）を含んでいても良い。
【００８７】
可変データ領域６５は、メーカーごとに自由に設定できる可変のデータ領域である。当該領域には、少なくともログ情報６４を含んでいる。
【００８８】
図７は、関連技術における通信システムのネットワーク構成を示す模式図である。
【００８９】
図７に示されるように、通信システム７００は、通信装置７１と、基地局７２と、ＰＣ（Ｐｅｒｓｏｎａｌ  Ｃｏｍｐｕｔｅｒ）７３と、ＬＡＮ１１とを備える。なお、図７では、図１で示した同一の構成要素には同一の符号を付し、説明を省略する。
【００９０】
通信装置７１は、基地局７２及びＰＣ７３との間でそれぞれ無線通信リンク７０及び有線通信リンク７５を確立し得る通信装置である。ここで、無線通信リンク７０には、所定のＳＳＩＤ、及び、所定の暗号化方式で無線通信が行われる。なお、無線通信は、例えば、ＩＥＥＥ８０２．１１ａ、ｂ、ｇ、ｎ規格などに適合する無線ＬＡＮにより実現される。通信装置７１は、例えば、無線回路モジュールを備えている。また、有線通信リンク７５には、有線ケーブルを介して、シリアルインターフェース規格に適合するシリアル通信が行われる。なお、シリアル通信は、例えば、ＳＰＩ（Ｓｅｒｉａｌ  ＰｅｒｉｐｈｅｒａｌＩｎｔｅｒｆａｃｅ）、ＵＳＢ、ＲＳ−２３２Ｃ規格などに適合するシリアル通信により実現される。通信装置７１は、例えば、シリアル通信を行うための通信規格に適合した入出力ポート（例えば、コネクタ端子や実装基板上に設置された端子など）を備えている。
【００９１】
通信装置７１は、無線通信リンク７０を介して基地局７２と無線通信によるデータのやりとりを行うことができる。また、通信装置７１は、通信装置７１が備える記憶装置（図示しない）に保持されたログ情報をＰＣ７３とシリアル通信を行うことで提供できる。
【００９２】
基地局７２は、通信装置７１との間で無線通信リンク７０を確立し得る基地局である。また、基地局７２は、ＬＡＮ１１を通じて、他のネットワーク（例えば、インターネットなどの外部ネットワークなど）と接続し、通信装置７１と他のネットワークとの間の通信を中継することができる。基地局７２は、例えば、無線回路モジュールを備える無線アクセスポイントである。
【００９３】
ＰＣ７３は、通信障害時に持ち込まれる、ログ情報を収集するための通信端末であり、通信装置７１との間で有線通信リンク７５を確立し得る端末である。
【００９４】
ＰＣ７３は、通信装置７１が基地局７２との間で無線接続を試みる以降の動作記録を、随時ログ情報として収集する。より具体的には、ＰＣ７３のユーザは、通信装置７１と基地局７２との間で行われる無線通信のやりとり、通信装置７１の動作記録などをログ情報として、有線通信リンク７５を介して、通信装置７１から取得できる。
【００９５】
ＰＣ７３は、例えば、シリアル通信を行うための通信規格に適合した入出力ポートを備えるＰＣである。
【００９６】
図７に示された通信システムでは、通信装置７１からログ情報をＰＣ７３が収集する場合には、通信装置７１にＰＣ７３が有線ケーブルで有線通信リンク７５が確立できることが前提になっている。しかし、通信装置７１の設置場所により、あるいは、通信機能部分の組込み仕様により、有線ケーブルを接続できないことも考え得る。また、通信装置７１に備わるシリアル通信を行うための通信規格に適合した入出力ポートが装置内の実装基板上に設けられていたとしても、筐体の蓋を開けて、直接に入出力ポートと有線ケーブルで接続する必要があり、ユーザの利便性が損なわれる。
【００９７】
（まとめ）
以上のような態様で、本発明の実施が行われる。このケースでは、通信装置１と第一基地局２との間で通信の障害が生じたとき、まず通信装置１のログ情報を解析し、障害の原因は通信装置１にあるのか否かを明確化する。そのため、通信装置１をデバッグモードに切換えさせるトリガが、予め特定されたＳＳＩＤである。もちろん機械的なスイッチなどでモードを切り替える方法も考えられるが、通信装置１の設置場所等によっては、こうした方法が取れないこともあり得る。上述のとおり、特定のＳＳＩＤを発信するのは、第二基地局４であるとして説明したが、通信装置１の通信相手であった第一基地局２であってもよい。なお、第一基地局２および第二基地局４に特定のＳＳＩＤを含むビーコンフレームを発信させることは、既存の設定変更技術であるので説明を省略する。
【産業上の利用可能性】
【００９８】
本発明は、無線通信における通信のやり取りをロギングする際に利用可能である。具体的には、無線アクセスポイントを含む無線ＬＡＮなどのネットワークにおける通信装置などに利用可能である。
【符号の説明】
【００９９】
１、７１  通信装置
２  第一基地局（無線アクセスポイント）
３  無線端末
４  第二基地局（無線アクセスポイント）
１０、７０  無線通信リンク
７５  有線通信リンク
１１  ＬＡＮ
１００、７００  通信システム
２０  ＣＰＵ
２１  ＲＯＭ
２２  ＲＡＭ
２３  記憶装置
２４  ＷＮＩＣ
２５  ＮＩＣ
２６  内部バス
３１  無線通信部
３２  判断部
３３  通信制御部
３４  記憶部
３５  フレーム生成部
３６  通信モードフラグ
６１  Ｅｌｅｍｅｎｔ  ＩＤ
６２  長さ
６３  ＯＵＩ
６４  ログ情報
６５  可変データ領域
７２  基地局（無線アクセスポイント）
７３  ＰＣ
７５  有線通信リンク
【図１】
2019180012.tif 000003
【図２】
2019180012.tif 000004
【図３】
2019180012.tif 000005
【図４】
2019180012.tif 000006
【図５】
2019180012.tif 000007
【図６】
2019180012.tif 000008
【図７】
2019180012.tif 000009